(57)【要約】【課題】収納庫内の区画の実際の重要物の有無を確認して、区画の重要物の管理を行うこと。【解決手段】収納部５３ｂに対して蓋部５２ｂのロックを解除する。操作者が手で蓋部５２ｂを開くと、コイルスプリング５６ｂの弾性による付勢力により、底面５４ｂが上昇する。すなわち、収納部５３ｂから印鑑６０が取り出された場合に底面５４ｂが上昇する。底面５４ｂが上昇することで、検出用板５９ｂが上昇し、フォトセンサ５８ｂが遮光される。フォトセンサ５８ｂが遮光されたことがコンピュータに検知されることで、コンピュータは収納部５３ｂから印鑑６０が取り出されたことを検知することができる。誤操作等により蓋部５２ａを開けようとしてタッチパネル３２を操作しても、蓋部５２ａが操作者によって開かれて、実際に重要物が取り出されるまでは底面５４ａが上昇しない。【選択図】図６
2018165443.tif 000002
【特許請求の範囲】
【請求項１】
重要物を収納する少なくとも１つの開閉可能な収納庫と、
制御部と
を備える重要物管理装置であって、
前記収納庫の内部は複数の区画に分けられ、
前記各区画には前記重要物を収納可能な収納部と、前記各収納部内の前記重要物の有無を検知するセンサとが設けられ、
前記制御部は、前記各センサによって検知された結果を受け取る重要物管理装置。
【請求項２】
前記各収納部は上昇又は下降することが可能な底面を備え、
前記底面は、前記収納部に前記重要物が収納された場合に下降し、前記収納部から前記重要物が取り出された場合に上昇し、
前記各区画は前記底面の上昇又は下降に連動して上昇又は下降する検出用板を備え、
前記センサは前記検出用板の上昇又は下降を検知することで前記重要物の有無を検知する、請求項１に記載の重要物管理装置。
【請求項３】
前記各区画には、前記各底面を上昇する向きに付勢する付勢手段が設けられ、
前記収納部に前記重要物が収納された場合に、前記重要物により前記各底面に付勢される下向きの力が、前記付勢手段により各底面に付勢される上向きの力を上回ることで前記底面が降下する請求項２に記載の重要物管理装置。
【請求項４】
前記各収納部は少なくとも１組の互いに対向する内面又は外面を備え、
前記センサは、１組の発光部と受光部とを備え、前記発光部から照射された光を受光部が受光する光学センサであって、
前記発光部と前記受光部とは互いに対向するように前記互いに対向する内面又は外面にそれぞれ設けられ、
前記重要物が前記発光部と前記受光部との間の光を遮ることで前記重要物の有無を検知する、請求項１に記載の重要物管理装置。
【請求項５】
前記受光部は、複数の受光素子を列状に配置して構成されている、請求項４に記載の重要物管理装置。
【請求項６】
前記各収納部は第１の互いに対向する内面又は外面と第２の互いに対向する内面又は外面とを備え、
少なくとも１つの前記センサの前記受光部と前記発光部とが、前記第１の互いに対向する内面又は外面にそれぞれ設けられ、
他の少なくとも１つの前記センサの前記受光部と前記発光部とが、前記第２の互いに対向する内面又は外面にそれぞれ設けられている請求項５に記載の重要物管理装置。
【発明の詳細な説明】
【技術分野】
【０００１】
この発明は重要物管理装置に関し、特に、複数の区画に重要物の収納部を備えた重要物管理装置に関する。
【背景技術】
【０００２】
従来の重要物管理装置が特許文献１に記載されている。この重要物管理装置は、例えば印鑑や鍵等の重要物を収納可能な複数の区画を有する収納庫を備え、コンピュータにより収納庫の蓋部のロックを管理することで重要物の管理を行っている。
【先行技術文献】
【特許文献】
【０００３】
【特許文献１】特開２０１６−１６０７０８号公報
【発明の概要】
【発明が解決しようとする課題】
【０００４】
引用文献１に記載の重要物管理装置では、収納庫から重要物を取り出す際には、操作者が重要物の収納された区画を指定して開操作を行うと、その区画の蓋部のロックが解除される。その状態で操作者が蓋部を開くと重要物が取り出されたとしてコンピュータに記録される。そのため、操作者が区画の蓋部を誤って開いた場合は、実際に重要物を持ち出さなくともコンピュータによる重要物の管理の都合上持ち出しと判断されてしまう為、重要物の持ち出しのキャンセル操作や返却操作を行わなければならないので、操作が煩雑であるという課題があった。
【０００５】
この発明はこのような問題点を解決するためになされたもので、収納庫内の区画の実際の重要物の有無を確認して、区画の重要物の管理を行うことができる重要物管理装置を提供することを目的とする。
【課題を解決するための手段】
【０００６】
この発明に係る重要物管理装置は、重要物を収納する少なくとも１つの開閉可能な収納庫と、制御部とを備える重要物管理装置であって、収納庫の内部は複数の区画に分けられ、各区画には重要物を収納可能な収納部と、各収納部内の重要物の有無を検知するセンサとが設けられ、制御部は、各センサによって検知された結果を受け取る。
【０００７】
また、各収納部は上昇又は下降することが可能な底面を備え、底面は、収納部に重要物が収納された場合に下降し、収納部から重要物が取り出された場合に上昇し、各区画は底面が上昇又は下降するとともに上昇又は下降する検出用板を備え、センサは検出用板の上昇又は下降を検知することで重要物の有無を検知してもよい。
また、各区画には、各底面を上昇する向きに付勢する付勢手段が設けられ、収納部に重要物が収納された場合に、重要物により各底面に付勢される下向きの力が、付勢手段により各底面に付勢される上向きの力を上回ることで底面が降下してもよい。
また、各収納部は少なくとも１組の互いに対向する内面又は外面を備え、センサは、１組の発光部と受光部とを備え、発光部から照射された光を受光部が受光する光学センサであって、発光部と受光部とは互いに対向するように互いに対向する内面又は外面にそれぞれ設けられ、重要物が発光部と受光部との間の光を遮ることで重要物の有無を検知してもよい。
また、受光部が列状に各収納部の互いに対向する内面又は外面に設けられていてもよい。
また、各収納部は第１の互いに対向する内面又は外面と第２の互いに対向する内面又は外面とを備え、少なくとも１つのセンサの受光部と発光部とが、第１の互いに対向する内面又は外面にそれぞれ設けられ、他の少なくとも１つのセンサの受光部と発光部とが、第２の互いに対向する内面又は外面にそれぞれ設けられていてもよい。
【発明の効果】
【０００８】
この発明によれば、重要物を収納する少なくとも１つの開閉可能な収納庫と、制御部とを備える重要物管理装置であって、収納庫の内部は複数の区画に分けられ、各区画には重要物を収納可能な収納部と、各収納部内の重要物の有無を検知するセンサとが設けられ、制御部は、各センサによって検知された結果を受け取るので収納庫内の区画の実際の重要物の有無を確認して、区画の重要物の管理を行うことができる。
【図面の簡単な説明】
【０００９】
【図１】この発明の実施の形態１に係る重要物管理装置の斜視図である。
【図２】図１に示す重要物管理装置の収納庫の斜視図である。
【図３】図１に示す重要物管理装置の収納庫の平面図である。
【図４】図３のＡ−Ａ線に沿った断面図である。
【図５ａ】図４に示す底面部分の拡大図である。
【図５ｂ】図４に示す底面部分の下降時の拡大図である。
【図６】図３に示す収納部に印鑑を収納したときの断面図である。
【図７ａ】実施の形態１の変形例に係る底面部分の拡大図である。
【図７ｂ】実施の形態１の変形例に係る底面部分の下降時の拡大図である。
【図８】この発明の実施の形態２に係る重要物管理装置の収納庫の断面図である。
【図９】図８に示すラインセンサの概略図である。
【図１０ａ】この発明の実施の形態２に係る重要物管理装置の収納部の平面図である。
【図１０ｂ】この発明の実施の形態２に係る重要物管理装置の収納部の非収納時の平面図である。
【図１１】この発明の実施の形態２の変形例に係る重要物管理装置の収納部の平面図である。
【図１２】この発明の実施の形態２の変形例に係る重要物管理装置の収納庫の一部の平面図である。
【図１３ａ】この発明の実施の形態３に係る重要物管理装置の収納庫の断面図である。
【図１３ｂ】この発明の実施の形態３に係る重要物管理装置の収納庫の左断面図である。
【図１３ｃ】この発明の実施の形態３に係る重要物管理装置の収納庫の右断面図である。
【図１４ａ】この発明の実施の形態３に係る重要物管理装置の収納部の平面図である。
【図１４ｂ】この発明の実施の形態３に係る重要物管理装置の収納部の非収納時の平面図である。
【発明を実施するための形態】
【００１０】
以下、この発明の実施の形態１を添付図面に基づいて説明する。
図１に示されるように、重要物管理装置１０は、略直方体形状の装置本体２０を備え、装置本体２０の上部には、ＩＣカードリーダ３０と、磁気カードリーダ３１と、タッチパネル３２と、プリンタ３３とが設けられている。ＩＣカードリーダ３０及び磁気カードリーダ３１は、操作者認証用のＩＣカード及び磁気カードのそれぞれに記憶された情報を読み取るもので、この情報を読み取ることにより、操作者はタッチパネル３２を操作することができるようになる。
【００１１】
装置本体２０の内部には、コンピュータ２１が設けられている。コンピュータ２１は、重要物管理装置１０の制御部を構成している。コンピュータ２１には、ＩＣカードリーダ３０と、磁気カードリーダ３１と、タッチパネル３２と、プリンタ３３との各装置が接続されており、各装置はコンピュータ２１により制御される。
【００１２】
また、装置本体２０には、複数の通帳管理部４０と収納庫５０とが設けられている。通帳管理部４０には、重要物である通帳を収納する図示しない公知の通帳収納部が装置本体２０の内部に設けられている。
【００１３】
収納庫５０は引出型の収納庫であり、図２及び図３に示すように内部は２０個の区画５１に分けられている。以下、区画のうち、特に区画５１ａ及び区画５１ｂを例として符号を付して説明するが、各区画は同じ構成を有している。区画５１ａ，５１ｂには、上部にヒンジを支点に開閉可能な蓋部５２ａ，５２ｂが設けられている。蓋部５２ａ，５２ｂにそれぞれ設けられた図示しない公知のロック手段をコンピュータ２１（図１参照）が制御することで、蓋部５２ａ，５２ｂの施錠、解除がなされる。また、蓋部５２ａ，５２ｂには、閉じた時にその閉じた位置を保持することのできる図示しない蓋閉スプリングが設けられている。
【００１４】
図４に示すように、区画５１ａ，５１ｂは、蓋部５２ａ，５２ｂの下方に上下方向に長い空間である収納部５３ａ，５３ｂを有している。収納部５３ａ，５３ｂには、例えば印鑑、通帳、鍵、フラッシュメモリドライブ等の任意の重要物が収納可能である。収納部５３ａ，５３ｂの底部には、収納部５３ａ，５３ｂ内において上昇又は下降が可能である底面５４ａ，５４ｂが設けられている。底面５４ａ，５４ｂは、図示しないストッパにより上昇及び下降の範囲が一定の範囲に制限されている。また、底面５４ａ，５４ｂの下方に設けられて区画５１ａを支持する板状の基礎部５７ａ，５７ｂが設けられている。
【００１５】
図５ａ，５ｂは、区画５１ａの底面５４ａ付近の拡大図である。なお、以下、特に区画５１ａを例として符号を付して説明するが、区画５１ｂや他の各区画も同じ構成を有している。底面５４ａの下面には、シャフト５５ａが下方に突き出して設けられている。シャフト５５ａは、基礎部５７ａを貫通している。また、基礎部５７ａの下方において、シャフト５５ａの下端にそれぞれ検出用板５９ａが設けられている。底面５４ａが上昇又は下降するとともに、検出用板５９ａはそれぞれ上昇又は下降する。
【００１６】
検出用板５９ａの近くには、フォトセンサ５８ａが設けられている。フォトセンサ５８ａは溝を備え、溝の内側の面に対向するようにそれぞれ発光部と受光部とを有し、溝内の物体の有無により遮光されているか否かを出力する公知のセンサ（一般にコの字型フォトセンサと呼ばれる）を構成している。フォトセンサ５８ａは、図５ａに示すように検出用板５９ａが上昇した場合に溝に検出用板５９ａが差し込まれて遮光され、図５ｂに示すように検出用板５９ａが下降した場合に溝から検出用板５９ａが抜けて遮光されなくなる位置に設けられている。また、フォトセンサ５８ａは、コンピュータ２１に接続されている。
【００１７】
底面５４ａと基礎部５７ａとの間に、シャフト５５ａの外径に巻かれたコイルスプリング５６ａが設けられている。コイルスプリング５６ａは、底面５４ａを上昇させる向きである上向きに付勢する付勢手段を構成している。底面５４ａにはコイルスプリング５６ａと基礎部５７ａとにより、底面５４ａを上向きに弾性による付勢力がかかっている。このため、収納部５３ａに重要物が無く、底面５４ａに荷重がかかっていない初期状態では、底面５４ａが最高の位置まで上昇する。このとき、検出用板５９ａは、フォトセンサ５８ａを遮光する位置にある。
【００１８】
次に、この実施の形態１の重要物管理装置の動作を説明する。
初めに、区画内の収納部に重要物が収納されている場合を説明する。図６に示すように、収納部５３ａには重要物の一例として印鑑６０が収納されており、蓋部５２ａが閉じられている。この状態で、コンピュータ２１により蓋部５２ａのロックがかけられている。なお、実施の形態１では印鑑６０は重要物を構成するが、印鑑６０は重要物の例であり、例えば通帳、鍵、フラッシュメモリドライブ等の任意の重要物であってもよい。
【００１９】
印鑑６０と底面５４ａとの間には、スポンジ等から構成されるスペーサ６１が設けられている。スペーサ６１の厚さは、印鑑６０が収納された状態で蓋部５２ａを閉じたときに、蓋部５２ａの蓋閉スプリングの力により、印鑑６０とスペーサ６１を介して底面５４ａが押し下げられるような厚みに調節されている。さらに、蓋部５２ａの蓋閉スプリングの力に加えて、印鑑６０の自重により底面５４ａが押し下げられて下降している。すなわち、収納部５３ａに印鑑６０が収納された場合、印鑑６０により底面５４ａに付勢される下向きの力が、コイルスプリング５６ａにより底面５４ａに付勢される上向きの力を上回るので、底面５４ａは下降する。これにより、検出用板５９ａはフォトセンサ５８ａを遮光しない位置まで下降している。
【００２０】
また、コンピュータ２１はフォトセンサ５８ａを監視しており、フォトセンサ５８ａが遮光されていないことが、コンピュータ２１に検知されている。そして、コンピュータ２１は、フォトセンサ５８ａが遮光されていないことを検知することで、収納部５３ａに印鑑６０が収納されていることを検知することができる。
【００２１】
次に、収納部５３ａと同様に収納部５３ｂに印鑑６０が収納されていた場合において、操作者が印鑑６０を収納部５３ｂから取り出す場合を説明する。図１に示すように、操作者は図示しない操作者認証用のＩＣカード又は磁気カードをＩＣカードリーダ３０又は磁気カードリーダ３１に読み取らせる。コンピュータ２１は操作者の認証を行い、操作者がタッチパネル３２を操作することができる状態にする。
【００２２】
次に、操作者がタッチパネル３２を操作して、図６に示すように、収納部５３ｂに対して蓋部５２ｂのロックを解除する。蓋部５２ｂのロックを解除しても、蓋部５２ｂのヒンジロックにより蓋部５２ｂは閉じた状態に保たれている。ここで、操作者が手で蓋部５２ｂを開くと、蓋部５２ｂが印鑑６０に接触しなくなるので、蓋閉スプリングによる力が印鑑６０にかからなくなり、底面５４ｂを押し下げる力が印鑑６０の自重だけとなるので弱まる。そして、コイルスプリング５６ｂの付勢力により、底面５４ｂが上昇する。すなわち、収納部５３ｂから印鑑６０を取り出すために蓋部５２ｂを開けると、印鑑６０により底面５４ｂに付勢される下向きの力が弱まるので、底面５４ｂは上昇する。
【００２３】
底面５４ｂが上昇することで、検出用板５９ｂが上昇し、フォトセンサ５８ｂが遮光される。これにより、フォトセンサ５８ｂが遮光されたことがコンピュータ２１に検知されることで、コンピュータ２１は収納部５３ｂから印鑑６０が取り出されたことを検知することができる。また、底面５４ｂが上昇するので、操作者は印鑑６０を取り出しやすくなる。
【００２４】
また、収納部５３ａに収納されている印鑑６０が取り出し対象物ではなかった場合に、誤操作等により蓋部５２ａを開けようとしてタッチパネル３２を操作しても、蓋部５２ａが操作者によって開かれるまでは底面５４ａが上昇しない。そのため、フォトセンサ５８ａが遮光されていない状態が保たれ、コンピュータ２１における収納部５３ａの収納状態は、印鑑６０が収納されている状態のままである。そのため、操作者が持ち出しのキャンセル操作や返却操作などの煩雑な操作をしなくてもよいという利点がある。
【００２５】
このように、この発明に係る重要物管理装置は、印鑑６０を収納する少なくとも１つの開閉可能な収納庫５０と、コンピュータ２１とを備える重要物管理装置であって、収納庫５０の内部は複数の区画５１ａ，５１ｂに分けられ、各区画５１ａ，５１ｂには印鑑６０を収納可能な収納部５３ａ，５３ｂと、各収納部５３ａ，５３ｂ内の印鑑６０の有無を検知するフォトセンサ５８ａ，５８ｂとが設けられ、コンピュータ２１は、各フォトセンサ５８ａ，５８ｂによって検知された結果を受け取るので、収納庫内の実際の重要物の有無を確認して、収納庫の区画の重要物の管理を行うことができる。
【００２６】
また、各収納部５３ａ，５３ｂは上昇又は下降することが可能な底面５４ａ，５４ｂを備え、底面５４ａ，５４ｂは、収納部５３ａ，５３ｂに印鑑６０が収納された場合に下降し、収納部５３ａ，５３ｂから重要物６０が取り出された場合に上昇し、各区画は底面５４ａ，５４ｂが上昇又は下降するとともに上昇又は下降する検出用板５９ａ，５９ｂを備え、各フォトセンサ５８ａ，５８ｂは検出用板５９ａ，５９ｂの上昇又は下降を検知することで印鑑６０の有無を検知するので、簡単な構成で収納庫内の実際の重要物の有無を確認して、収納庫の区画の重要物の管理を行うことができる。
【００２７】
また、各区画５１ａ，５１ｂには、各底面５４ａ，５４ｂを上昇する向きに付勢するコイルスプリング５６ａ，５６ｂが設けられ、収納部５３ａ，５３ｂに印鑑６０が収納された場合に、印鑑６０により各底面５４ａ，５４ｂに付勢される下向きの力が、コイルスプリング５６ａ，５６ｂにより各底面５４ａ，５４ｂに付勢される上向きの力を上回ることで底面５４ａ，５４ｂが降下するので、確実に収納庫内の実際の重要物の有無を確認することができ、さらに操作者が重要物を取り出しやすくなる。
【００２８】
なお、この実施の形態１では、検出用板５９ａ，５９ｂとフォトセンサ５８ａ，５８ｂとは、底面５４ａ，５４ｂが上昇している状態でフォトセンサ５８ａ，５８ｂが遮光され、底面５４ａ，５４ｂが下降している状態でフォトセンサ５８ａ，５８ｂが遮光されなくなるという位置関係に設けられていたが、他の位置関係に設けられていてもよい。例えば、図７ａに示すように、底面５４ａ，５４ｂが上昇している状態でフォトセンサ５８ａ，５８ｂが遮光されなくなり、図７ｂに示すように底面５４ａ，５４ｂが下降している状態でフォトセンサ５８ａ，５８ｂが遮光される位置関係であってもよい。
【００２９】
また、この実施の形態１では、フォトセンサ５８ａ，５８ｂは、溝の内側の面に対向するようにそれぞれ発光部と受光部とを有し、溝内の物体の有無により遮光されているかいないかを出力する公知のセンサであったが、検出用板５９ａ，５９ｂの上昇又は下降を検知する他の種類の公知のセンサであってもよい。例えば、発光部と受光部とを同じ面に有し、発光部から検出用板５９ａ，５９ｂに照射した光を受光部で検知して検出用板５９ａ，５９ｂの位置を検知するフォトセンサであってもよいし、検出用板５９ａ，５９ｂの接触を検知するセンサであってもよい。
【００３０】
また、底面５４ａは、蓋部５２ａの蓋閉スプリングの力と印鑑６０の自重とにより押し下げられていたが、印鑑６０等の重要物の自重だけで底面５４ａが押し下げられるようにコイルスプリング５６ａの弾性による付勢力を調節してもよい。
【００３１】
また、コイルスプリング５６ａ，５６ｂが底面５４ａ，５４ｂの付勢手段を構成していたが、付勢手段はこれ以外の弾性体であってもよく、弾性ではなく能動的に底面５４ａ，５４ｂを付勢するアクチュエータ等を付勢手段として用いてもよい。
【００３２】
また、スペーサ６１の厚さは、印鑑６０等の重要物の大きさに応じて底面５４ａ，５４ｂを押し下げられるように任意に調整されてよいし、或いは重要物の大きさによっては設けられていなくてもよい。
【００３３】
実施の形態２． 
次に、この発明の実施の形態２の重要物管理装置について説明する。尚、以下の実施の形態において、図１〜図７ｂの参照符号と同一の符号は、同一または同様な構成要素であるので、その詳細な説明は省略する。
この発明の実施の形態２は、収納部内の重要物の検知手段を、収納部内に設けられた列状のセンサとしたものである。
【００３４】
図８に示すように、収納庫５０には区画５１ｃ，５１ｄを含む複数の区画が設けられている。以下、区画のうち、特に区画５１ｃ及び区画５１ｄを例として符号を付して説明するが、各区画は同じ構成を有している。
【００３５】
収納部５３ａには、ラインセンサ９０ａと発光ダイオード（ＬＥＤ）９１ａとが互いに対向するように、互いに対向する内面５３０ａ，５３１ａの外側である外面５３４ａ，５３５ａにそれぞれ設けられている。ＬＥＤ９１ａが収納部５３ａに照射する光を通すために、内面５３１ａと外面５３５ａとを繋ぐスリット５３７ａが設けられている。また、ラインセンサ９０ａが受光する光を通すために、内面５３０ａと外面５３４ａとを繋ぐスリット５３６ａが設けられている。また同様に、収納部５３ｂにはラインセンサ９０ｂとＬＥＤ９１ｂとが互いに対向するように、互いに対向する内面５３０ｂ，５３１ｂの外側である外面５３４ｂ，５３５ｂにそれぞれ設けられている。ＬＥＤ９１ｂが照射する光を通すために、内面５３１ｂと外面５３５ｂとを繋ぐスリット５３７ｂが設けられている。さらに、ラインセンサ９０ｂが受光する光を通すために、内面５３０ｂと外面５３４ｂとを繋ぐスリット５３６ｂが設けられている。１組のラインセンサ９０ａとＬＥＤ９１ａとは、センサを構成しており、同様に１組のラインセンサ９０ｂとＬＥＤ９１ｂとは、センサを構成している。
【００３６】
収納部５３ａ，５３ｂには蓋部５２ｃ，５２ｄが設けられている。蓋部５２ｃ，５２ｄは、コンピュータ２１により施錠と解錠とが制御される、公知のロック手段が設けられている。また、収納部５３ａ，５３ｂの底面５４ｃ，５４ｄは、所定の位置に固定されており移動しない。
【００３７】
ＬＥＤ９１ａ，９１ｂは、公知の赤外線ＬＥＤであり、発光部を構成している。ラインセンサ９０ａ，９０ｂは、図９に示すように受光素子を構成する複数のＣＭＯＳセンサ９２を列状に配置して構成した公知のラインセンサであり、受光部を構成している。図８，１０ａ，１０ｂに示すように、ラインセンサ９０ａ，９０ｂは、重要物管理装置１０（図１参照）の水平方向が長手方向になるように設けられており、内面５３０ａ，５３０ｂの幅とほぼ同等の長さを有している。ＬＥＤ９１ａ，９１ｂとラインセンサ９０ａ，９０ｂとは、コンピュータ２１（図１参照）に接続されている。その他の構成は実施の形態１と同じである。
【００３８】
次に、この実施の形態２の重要物管理装置の動作を説明する。尚、以下では区画５１ｃの収納部５３ａについて説明するが、区画５１ｄの収納部５３ｂやその他の区画も同じである。
図１に示すように重要物管理装置１０が動作しているときは、コンピュータ２１の制御により、図１０ａに示すようにＬＥＤ９１ａから常時、赤外線Ｐがラインセンサ９０ａの方向へ照射されている。収納部５３ａに重要物の印鑑６０が収納されている場合、赤外線Ｐは印鑑６０に遮られるため、ラインセンサ９０ａを構成するＣＭＯＳセンサ９２（図９参照）のうち一部は赤外線Ｐを受光しない。コンピュータ２１が、ラインセンサ９０ａのうち一部が赤外線Ｐを受光していないことを検知することで、収納部５３ａ内に印鑑６０が収納されていることを検知する。
【００３９】
次に、操作者がタッチパネル３２（図１参照）を操作し、収納部５３ｂから重要物を取り出す場合の動作を説明する。操作者の操作によりコンピュータ２１が蓋部５２ｃ（図８参照）を解錠すると、操作者は収納部５３ｂから重要物を取り出すことができる。図１０ｂに示すように、収納部５３ｂから重要物が取り出された後は、赤外線Ｐが遮られずにラインセンサ９０ａに照射されるので、ラインセンサ９０ａの全体が赤外線Ｐを受光する。そして、コンピュータ２１が、ラインセンサ９０ａの全体が赤外線Ｐを受光していることを検知することで、収納部５３ｂ内に重要物がないことを検知する。
【００４０】
ラインセンサ９０ａは、重要物管理装置１０の水平方向に設けられており、内面５３０ａの幅とほぼ同等の幅を有しているので、収納部５３ａ，５３ｂ内で重要物の位置が片寄っていたとしても、確実に収納部５３ａ，５３ｂ内に重要物が存在することを検知することができる。
【００４１】
このように、各収納部５３ａ，５３ｂは少なくとも１組の互いに対向する外面５３４ａ，５３５ａを備え、センサは、１組のＬＥＤ９１ａとラインセンサ９０ａとを備え、ＬＥＤ９１ａから照射された光をラインセンサ９０ａが受光する光学センサであって、ＬＥＤ９１ａとラインセンサ９０ａとは互いに対向するように互いに対向する外面５３４ａ，５３５ｂにそれぞれ設けられ、印鑑６０がＬＥＤ９１ａとラインセンサ９０ａとの間の光を遮ることで印鑑６０の有無を検知するので、上昇及び下降が可能な底面を設けることなく、重要物が収納部から実際に持ち出されたかを検知することができる。
【００４２】
また、ラインセンサ９０ａは、複数のＣＭＯＳセンサ９２を列状に配置して構成されているので、確実に収納部５３ａ，５３ｂ内で重要物が存在することを検知することができる。
【００４３】
実施の形態２では、ＬＥＤ９１ａとラインセンサ９０ａとは互いに対向するように互いに対向する内面の外側である外面５３４ａ，５３５ａにそれぞれ設けられていたが、図１１に示すように、互いに対向する内面５３０ａ，５３１ａにそれぞれ設けられていてもよい。
【００４４】
また、個々の区画５１ｃ，５１ｄにＬＥＤ９１ａ，９１ｂとラインセンサ９０ａ，９０ｂとを一組ずつ設けていたが、図１２に区画を２列分示して説明するように、区画５１ｃの列に対してその列の長さと略同じ長さのＬＥＤ９１ａとラインセンサ９０ａとを１つずつ設け、区画５１ｃの列に対してその列の長さと略同じ長さのＬＥＤ９１ｂとラインセンサ９０ｂとを１つずつ設けてもよい。この場合は、収納部に重要物が収納されていない初期状態において、各ラインセンサ９０ａ，９０ｂの各ＣＭＯＳセンサ９２（図９参照）の赤外線Ｐの受光状態をコンピュータ２１（図１参照）が記録して学習し、その後、各ＣＭＯＳセンサ９２の受光状態をコンピュータ２１が判定することにより、各収納部に重要物が収納されているか否かを判定する。これにより、ＬＥＤ９１ａ，９１ｂとラインセンサ９０ａ，９０ｂとの部品点数と組立工数を少なくすることができる。
【００４５】
また、収納部５３ａ，５３ｂにＬＥＤ９１ａ，９１ｂとラインセンサ９０ａ，９０ｂとを一組ずつ設けていたが、収納部５３ａ，５３ｂにＬＥＤ９１ａ，９１ｂとラインセンサ９０ａ，９０ｂとを複数の組ずつ設けてもよい。これにより、収納部５３ａ，５３ｂの高さ方向に大きさが異なる重要物も検知することができる。また、実施の形態１で用いたスペーサ６１（図６参照）を用いて、小さい重要物の収納時にＬＥＤ９１ａ，９１ｂとラインセンサ９０ａ，９０ｂとの間の赤外線を遮れるようにしてもよい。
【００４６】
また、赤外線ＬＥＤであるＬＥＤ９１ａが発光部を構成していたが、例えばＬＥＤの形状は何でもよいし、電球や可視光を照射するＬＥＤ等の、任意の公知の発光部を用いてもよい。また、ＣＭＯＳセンサ９２を用いたラインセンサ９０ａが受光部を構成していたが、例えばＣＣＤセンサやフォトダイオード等の、任意の公知の受光素子を列状に形成した受光部を用いてもよい。さらに、発光部と受光部とを互いに対向するように設けた重要物の検知手段ではなく、ラインセンサカメラ等の画像を取得する検知手段であってもよい。
【００４７】
実施の形態３． 
次に、この発明の実施の形態３の重要物管理装置について説明する。
この発明の実施の形態３は、収納部内の重要物の検知手段を、収納部内に設けられた透過型センサとしたものである。
【００４８】
図１３ａに示すように、収納庫５０には区画５１ｅを含む複数の区画が設けられている。以下、区画のうち、特に区画５１ｅを例として符号を付して説明するが、各区画は同じ構成を有している。
【００４９】
図１３ａ，１３ｂ，１３ｃ，１４ａ，１４ｂに示すように、収納部５３ａには、第１の互いに対向する内面を構成する内面５３０ａ，５３１ａと、第２の互いに対向する内面を構成する内面５３２ａ，５３３ａとが設けられている。
【００５０】
内面５３０ａには、ＬＥＤ１００ａと、フォトダイオード１０１ｂと、ＬＥＤ１０２ａとが設けられている。内面５３１ａには、フォトダイオード１００ｂと、ＬＥＤ１０１ｂと、フォトダイオード１０２ｂとが設けられている。そして、ＬＥＤ１００ａとフォトダイオード１００ｂとが互いに対向する位置に設けられ、ＬＥＤ１０１ｂとフォトダイオード１０１ａとが互いに対向する位置に設けられ、ＬＥＤ１０２ａとフォトダイオード１０２ｂとが互いに対向する位置に設けられている。また、フォトダイオード１００ｂと、フォトダイオード１０１ｂと、フォトダイオード１０２ｂとはそれぞれ異なる高さに設けられている。
【００５１】
また、内面５３２ａには、フォトダイオード１０３ｂと、ＬＥＤ１０４ａが設けられている。内面５３３ａには、ＬＥＤ１０３ａと、フォトダイオード１０４ｂとが設けられている。そして、ＬＥＤ１０３ａと、フォトダイオード１０３ｂとが互いに対向する位置に設けられ、ＬＥＤ１０４ａと、フォトダイオード１０４ｂとが互いに対向する位置に設けられている。また、フォトダイオード１０３ｂと、フォトダイオード１０４ｂとはそれぞれ異なる高さに設けられている。
【００５２】
ＬＥＤ１００ａ，１０１ａ，１０２ａ，１０３ａ，１０４ａは、赤外線ＬＥＤであり、発光部を構成している。フォトダイオード１００ｂ，１０１ｂ，１０２ｂ，１０３ｂ，１０４ｂは、受光部を構成している。すなわち、ＬＥＤ１００ａ，１０１ａ，１０２ａ，１０３ａ，１０４ａと、それぞれ対向するフォトダイオード１００ｂ，１０１ｂ，１０２ｂ，１０３ｂ，１０４ｂとは、透過型センサを構成している。ＬＥＤ１００ａ，１０１ａ，１０２ａ，１０３ａ，１０４ａとフォトダイオード１００ｂ，１０１ｂ，１０２ｂ，１０３ｂ，１０４ｂは、とは、コンピュータ２１（図１参照）に接続されている。その他の構成は、実施の形態２と同じである。
【００５３】
次に、この実施の形態３の重要物管理装置の動作を説明する。
重要物管理装置１０が動作しているときは、コンピュータ２１（図１参照）の制御により、図１４ａに示すようにＬＥＤ１００ａからフォトダイオード１００ｂへ光軸Ｑの赤外線が常時照射されている。また、同じくＬＥＤ１０１ａからフォトダイオード１０１ｂへ光軸Ｒの赤外線が常時照射され、ＬＥＤ１０２ａからフォトダイオード１０２ｂへ光軸Ｓの赤外線が常時照射され、ＬＥＤ１０３ａからフォトダイオード１０３ｂへ光軸Ｔの赤外線が常時照射され、ＬＥＤ１０４ａからフォトダイオード１０４ｂへ光軸Ｕの赤外線が常時照射されている。
【００５４】
収納部５３ａに重要物である印鑑６０が光軸Ｒ，Ｓ，Ｔを遮るように収納されている場合、フォトダイオード１０１ｂ，１０２ｂ，１０３ｂは赤外線を受光しない。このとき、コンピュータ２１が、フォトダイオード１０１ｂ，１０２ｂ，１０３ｂが赤外線を受光していないことを検知することで、収納部５３ａ内に印鑑６０が収納されていることを検知する。上記のように光軸Ｑ，Ｒ，Ｓ，Ｔ，Ｕのうちいずれかが印鑑６０に遮られ、フォトダイオード１００ｂ，１０１ｂ，１０２ｂ，１０３ｂ，１０４ｂのいずれかが赤外線を受光しないことをコンピュータ２１により検知すれば、収納部５３ａ内に印鑑６０が収納されていることを検知することができる。
【００５５】
次に、操作者がタッチパネル３２（図１参照）を操作し、収納部５３ａから重要物を取り出す場合の動作を説明する。操作者の操作によりコンピュータ２１が蓋部５２ｃを解錠すると、操作者は収納部５３ａから重要物を取り出すことができる。図１４ｂに示すように、収納部５３ａから重要物が取り出された後は、光軸Ｑ，Ｒ，Ｓ，Ｔ，Ｕが遮られずにフォトダイオード１００ｂ，１０１ｂ，１０２ｂ，１０３ｂ，１０４ｂが光赤外線を受光する。コンピュータ２１が、フォトダイオード１００ｂ，１０１ｂ，１０２ｂ，１０３ｂ，１０４ｂの全てで赤外線を受光することを検知することで、収納部５３ａ内に重要物がないことを検知する。
【００５６】
このように、各収納部５３ａは第１の互いに対向する内面５３０ａ，５３１ａと第２の互いに対向する内面５３２ａ，５３３ａとを備え、少なくとも１つのセンサのフォトダイオード１００ｂ，１０１ｂ，１０２ｂとＬＥＤ１００ａ，１０１ａ，１０２ａとが、第１の互いに対向する内面５３０ａ，５３１ａにそれぞれ設けられ、他の少なくとも１つのセンサのフォトダイオード１０３ｂ，１０４ｂとＬＥＤ１０３ａ，１０４ａとが、第２の互いに対向する内面５３２ａ，５３３ａにそれぞれ設けられているので、上昇及び下降が可能な底面を設けることなく、印鑑６０が収納部５３ａの中で偏った位置にあったとしても、確実に印鑑６０が収納部５３ａから実際に持ち出されたかを検知することができる。
【００５７】
なお、実施の形態３では、収納部５３ａに５組ずつのＬＥＤ１００ａ，１０１ａ，１０２ａ，１０３ａ，１０４ａ及びフォトダイオード１００ｂ，１０１ｂ，１０２ｂ，１０３ｂ，１０４ｂを設けていたが、ＬＥＤとフォトダイオードとの数及び位置は、重要物の大きさを考慮し、重要物を収納部５３ａに収納した時に少なくとも１つの赤外線の光軸が遮られるように設けられていればよい。
【００５８】
また、赤外線ＬＥＤである１００ａ，１０１ａ，１０２ａ，１０３ａ，１０４ａが発光部を構成していたが、例えば電球や可視光によるＬＥＤ等の、任意の公知の発光部を用いてもよい。また、フォトダイオード１００ｂ，１０１ｂ，１０２ｂ，１０３ｂ，１０４ｂが受光部を構成していたが、例えばＣＣＤセンサ等の、任意の公知の受光素子を受光部として用いてもよいし、発光部と受光部とで他の種類の公知の透過型センサが用いられていてもよい。
【００５９】
また、図１４ａに示すように、フォトダイオード１００ｂ，１０１ｂ，１０２ｂとＬＥＤ１００ａ，１０１ａ，１０２ａとが、第１の互いに対向する内面５３０ａ，５３１ａにそれぞれ設けられ、他の少なくとも１つのセンサのフォトダイオード１０３ｂ，１０４ｂとＬＥＤ１０３ａ，１０４ａとが、第２の互いに対向する内面５３２ａ，５３３ａにそれぞれ設けられていたが、フォトダイオード１００ｂ，１０１ｂ，１０２ｂとＬＥＤ１００ａ，１０１ａ，１０２ａとが、第１の互いに対向する内面５３０ａ，５３１ａの外側である外面５３４ａ，５３５ａにそれぞれ設けられていてもよいし、フォトダイオード１０３ｂ，１０４ｂとＬＥＤ１０３ａ，１０４ａとが、第２の互いに対向する内面５３２ａ，５３３ａの外側である外面５３８ａ，５３９ａにそれぞれ設けられていてもよい。この場合は、内面５３０ａ及び外面５３４ａ、内面５３１ａ及び外面５３５ａ、内面５３２ａ及び外面５３８ａ、内面５３３ａ及び外面５３９ａの間を繋ぐように、光を通すための孔をそれぞれ形成する。
【符号の説明】
【００６０】
１０  重要物管理装置、２１  コンピュータ（制御部）、５０  収納庫、５１ａ〜５１ｅ  区画、５２ａ〜５２ｄ  蓋部、５３ａ〜５３ｂ  収納部、５４ａ〜５４ｄ  底面、５６ａ，５６ｂ  コイルスプリング（付勢手段）、５８ａ，５８ｂ  フォトセンサ（センサ）、６０  印鑑（重要物）、９０ａ，９０ｂ  ラインセンサ（受光部）、９１ａ，９１ｂ，１００ａ〜１０４ａ  ＬＥＤ（発光部）、９２  ＣＭＯＳセンサ（受光素子）、１００ｂ〜１０４ｂ  フォトダイオード（受光部）、５３０ａ，５３０ｂ，５３１ａ，５３１ｂ  内面（互いに対向する内面，第１の互いに対向する内面）、５３２ａ，５３３ａ  内面（第２の互いに対向する内面）、５３４ａ，５３４ｂ，５３５ａ，５３５ｂ  外面（互いに対向する外面、第１の互いに対向する外面）、５３８ａ，５３９ａ  外面（第２の互いに対向する外面）。
【図１】
2018165443.tif 000003
【図２】
2018165443.tif 000004
【図３】
2018165443.tif 000005
【図４】
2018165443.tif 000006
【図５ａ】
2018165443.tif 000007
【図５ｂ】
2018165443.tif 000008
【図６】
2018165443.tif 000009
【図７ａ】
2018165443.tif 000010
【図７ｂ】
2018165443.tif 000011
【図８】
2018165443.tif 000012
【図９】
2018165443.tif 000013
【図１０ａ】
2018165443.tif 000014
【図１０ｂ】
2018165443.tif 000015
【図１１】
2018165443.tif 000016
【図１２】
2018165443.tif 000017
【図１３ａ】
2018165443.tif 000018
【図１３ｂ】
2018165443.tif 000019
【図１３ｃ】
2018165443.tif 000020
【図１４ａ】
2018165443.tif 000021
【図１４ｂ】
2018165443.tif 000022